(57)【要約】      （修正有）【課題】ジャッキの作用効率が良く固定机タイプの作業台として利用し易い昇降調節式作業台を提供する。【解決手段】前後左右を支持脚２に支持された方形状の固定枠１からなる作業台フレーム４上に、Ｘ字状に交差して上下方向に開閉回動可能な２組の平行リンク７を介して昇降する可動テーブル５を備え、上記平行リンク７と作業台フレーム４間にジャッキ１９を介設して可動テーブル５を昇降調節する装置を設けて作業台を構成する。さらに、上記固定枠１の下方に前後方向のジャッキ支持軸３６を作業台フレーム４側に取付けて設け、該ジャッキ支持軸３６の上方であって前後の平行リンク７の下半部以下の位置に対して昇降作用をさせるように前後方向のリフター軸２２を設け、かつ、テーブルを昇降させるジャッキ１９を連結する。【選択図】図１
0003156061.tif 000002
【実用新案登録請求の範囲】
【請求項１】
前後左右を支持脚（２）に支持された方形状の固定枠（１）からなる作業台フレーム（４）上に、Ｘ字状に交差して上下方向に開閉回動可能な２組の平行リンク（７）を介して昇降する可動テーブル（５）を備え、上記平行リンク（７）と作業台フレーム（４）間にジャッキ（１９）を介設して可動テーブル（５）を昇降調節する作業台において、上記固定枠（１）の下方で固定枠（１）の左右方向の４０％以下の片側位置に偏位させて前後方向のジャッキ支持軸（３６）を作業台フレーム（４）側に取付けて設け、該ジャッキ支持軸（３６）の上方であって前後の平行リンク（７）の下半部以下の位置に対して昇降作用をさせるように前後方向のリフター軸（２２）を設け、上記ジャッキ支持軸（３６）とリフター軸（２２）の間に上下方向に伸縮させてテーブルを昇降させるジャッキ（１９）を連結して設けた昇降調節式作業台。
【請求項２】
支持脚（２）の下端にキャスター（３）を取付け、作業台フレーム（４）を走行移動可能に構成した請求項１の昇降調節式作業台。
【請求項３】
作業台フレーム（４）内のジャッキ（１９）を設置しない左右方向の片側空間の６０％以上の範囲を占める片側の前後と端部側面の固定枠（１）の下方空間を作業台を固定机タイプとして用いた作業時に３方の外周方向から足先の出し入れが可能な挿入空間として確保した請求項１又は２の昇降調節式作業台。
【請求項４】
ジャッキ支持軸（３６）が固定台の下面側に下向きに突出させて設けたブラケット（３３）に支持されて設けられた請求項１又は２又は３の昇降調節式作業台。
【請求項５】
ジャッキを流体圧シリンダ（２３）で構成し、Ｘ字状に交差する平行リンク（７）の左右端の一端を固定枠（１）と可動テーブル（５）に回動自在に軸支した固定端とし、他方の端部を開閉作動時に固定枠（１）及び可動テーブル（５）に案内されて左右方向にスライド移動する可動端とし、固定枠（１）側に案内される平行リンク（７）の可動端側に一端を連結し、他方の端部側を平行リンク（７）の固定端側である固定枠（１）の端部に設けた係止部材（３９）に係止位置を変更調節可能に係止するチェン（３８）を設け、該チェン（３８）の係止位置を変更調節することにより可動テーブル（５）の高さを調節してロックする請求項１又は２又は３又は４の昇降調節式作業台。
【考案の詳細な説明】
【技術分野】
【０００１】
この考案はテーブル高さが調節できる昇降調節式作業台に関する。
【背景技術】
【０００２】
従来、Ｘ字形に交差して開閉する平行リンクをジャッキにより駆動してテーブル上面を昇降調節する作業台として特許文献１，同２等が知られている。
【先行技術文献】
【特許文献】
【０００３】
【特許文献１】実公平１−１７５９５号公報
【特許文献２】実開昭５４−１４９０７４号公報
【特許文献３】実開昭６１−５９８００号公報
【特許文献４】実開昭６３−６０５８３号公報
【考案の概要】
【考案が解決しようとする課題】
【０００４】
上記特許文献１，２の考案は共に平行リンクの揺動方向に沿って油圧シリンダ等からなるジャッキが上下方向に設置されているのでジャッキの力学的な効率が良い。
【０００５】
しかし、上面のテーブルは直線的に昇降するものの、平行リンクの揺動端は円弧状の軌跡で昇降することになり、シリンダを上下方向に作動させながら作業台側に固定しておくことは困難であった。このため文献１のようにシリンダのヘッド部とロッド端を互に交差し合うリンク側に連結する必要があり、あるいは文献２のように伸縮するロッド端と揺動する平行リンクの連結支点間に別途リンク８２を介設する必要がある。
【０００６】
また前者は平行リンクの揺動に伴ってシリンダも昇降するという欠点があり、後者はテーブルの下限位置が上記リンク８２等によって制約を受けるという欠点がある。
【０００７】
さらに文献１，２のジャッキのように流体圧シリンダが用いられる場合、重量物をテーブル上に載せておくと流体のリークによりテーブルが下降するという欠点がある反面、特許文献３，４のように多段式の受部を設けるものでは、低位置でロックした場合は再上昇時にロックを解除してから行なう必要があるほか、文献４の場合は多段の受部を設けるために上下方向の壁部や支柱等を別途設ける必要がある等の欠点がある。
【課題を解決するための手段】
【０００８】
上記課題を解決するための本考案の作業台は、第１に前後左右を支持脚２に支持された方形状の固定枠１からなる作業台フレーム４上に、Ｘ字状に交差して上下方向に開閉回動可能な２組の平行リンク７を介して昇降する可動テーブル５を備え、上記平行リンク７と作業台フレーム４間にジャッキ１９を介設して可動テーブル５を昇降調節する作業台において、上記固定枠１の下方で固定枠１の左右方向の４０％以下の片側位置に偏位させて前後方向のジャッキ支持軸３６を作業台フレーム４側に取付けて設け、該ジャッキ支持軸３６の上方であって前後の平行リンク７の下半部以下の位置に対して昇降作用をさせるように前後方向のリフター軸２２を設け、上記ジャッキ支持軸３６とリフター軸２２の間に上下方向に伸縮させてテーブルを昇降させるジャッキ１９を連結して設けたことを特徴としている。
【０００９】
第２に、支持脚２の下端にキャスター３を取付け、作業台フレーム４を走行移動可能に構成したことを特徴としている。
【００１０】
第３に、作業台フレーム４内のジャッキ１９を設置しない左右方向の片側空間の６０％以上の範囲を占める片側の前後と端部側面の固定枠１の下方空間を作業台を固定机タイプとして用いた作業時に３方の外周方向から足先の出し入れが可能な挿入空間として確保したことを特徴としている。
【００１１】
第４に、ジャッキ支持軸３６が固定台の下面側に下向きに突出させて設けたブラケット３３に支持されて設けられたことを特徴としている。
【００１２】
第５に、ジャッキを流体圧シリンダ２３で構成し、Ｘ字状に交差する平行リンク７の左右端の一端を固定枠１と可動テーブル５に回動自在に軸支した固定端とし、他方の端部を開閉作動時に固定枠１及び可動テーブル５に案内されて左右方向にスライド移動する可動端とし、固定枠１側に案内される平行リンク７の可動端側に一端を連結し、他方の端部側を平行リンク７の固定端側である固定枠１の端部に設けた係止部材３９に係止位置を変更調節可能に係止するチェン３８を設け、該チェン３８の係止位置を変更調節することにより可動テーブル５の高さを調節してロックすることを特徴としている。
【考案の効果】
【００１３】
以上のように構成される本考案の作業台によれば、ジャッキが作業台側のジャッキ支持軸と平行リンク側下半部の支点間に軸支して連結されているので、ジャッキを上下方向に保ち且つ伸縮させながらスムースに平行リンクを昇降揺動できる利点があり、ジャッキの下端は作業台フレーム側に軸支されているので、ジャッキ自体が昇降することもなく、またジャッキの昇降伸縮とリンクの円弧回動との動きの整合を図るためのリンクも必要ない。
【００１４】
また上記ジャッキの配置は固定枠の下部に納められるが片側１／３以下の範囲に偏位しているので、ジャッキを保護するための囲いの必要もなくジャッキによる他作業の妨げもなく、作業台は前後と左右いずれか一方側から足を挿入して作業ができるので、椅子に着座した状態での作業も容易に行うことができる。
【００１５】
そして可動テーブルの下降を防止すべくロックし又は作業中の最低高さも設定しロックする装置として、チェンを係止位置調節可能に設けたので、機構及びセットが簡単なほか、セットされた下限高さから最上昇する際に、ロック解除をする必要がなく、常に下限高さがセットされた状態で保持できる利点がある。
【図面の簡単な説明】
【００１６】
【図１】本考案の実施例を示す移動式作業台（作業台車）の正面構造と昇降機構を示す正面図である。
【図２】同じく作業台車の側面構造と昇降機構を示す側面図である。
【図３】作業台のテーブル折畳み（下降）状態とロック機構を示す要部拡大図である。
【図４】（Ａ），（Ｂ）はチェンによるロック係止部の拡大正面図と平面図である。
【考案を実施するための形態】
【００１７】
以下図示する実施形態につき詳述すると、図１，図２は作業台（車）の正面図及び側面図で、平面視長方形の固定枠１の４隅には柱状の支持脚２が下向き突設され、各支持脚２の下端には転動防止ロック（図示しない）付のキャスター３が取付けられ、走行移動可能な作業台車の作業台フレーム４が構成されている。
【００１８】
作業台自体は平面視９００×６００（ｍｍ）程度の長方形の固定枠１に対し、これと同サイズの可動（昇降）テーブル６が前後２組の正面視でＸ字状に交差した平行リンク７（外リンク７ａ，内リンク７ｂ）を介して昇降可能に取付けられている。
【００１９】
固定枠１は前後端に内向きに開放されたチャンネル状のレール８を平行に配置しており、これに対応し可動テーブル５内の前後両側には左右方向に平行なレール９をテーブルフレームを兼ねて配置し、該レール９上には天板１０が設けられてテーブル上面を形成している。
【００２０】
上記前後の外リンク７ａ，内リンク７ｂは交差する中間位置を前後方向の１本の交差軸１１で連結されて互に回動（開閉）自在に軸支されており、その左側端部（基端部）は上下のレール８，９の左端部内でそれぞれ前後方向の１本の軸１２，１３で揺動自在に軸支されている。
【００２１】
外リンク７ａ，内リンク７ｂの右側端部（先端部）は共に上下方向の揺動端となり、各揺動端はそれぞれ前後方向の１本の揺動軸１４，１６で前後方向に連結され、該揺動軸１４，１６にはローラー１７がそれぞれ回動自在に軸支されている。
【００２２】
各ローラー１７は固定枠１内のレール８と可動テーブル５内のレール９内に内側から挿入され、外リンク７ａ，内リンク７ｂが折畳み揺動されると各レール８，９に案内されて左右方向にスライドし、これに伴って可動テーブル５は固定枠１に対して平行移動して昇降し、テーブル高さが上下に変化する。
【００２３】
また作業台フレーム４側には上下方向の油圧式ジャッキ１９の下端部が取付けられ、このジャッキ１９の上方に突出する伸縮ロッド２１の先端は、前後の内側リンク７ｂ，７ｂ間の交差軸１１と軸１２の略中間位置を連結する前後方向のリフター軸２２の前後中間位置で回動自在に連結されており、ジャッキ１９の伸縮作動により、平行リンク７が折畳み回動し可動テーブル５が昇降して高さ調節される。
【００２４】
以上説明した作業台の機構は例えば先の述べた特許文献２に記載の昇降テーブル付の作業台車と基本構造において変わりないものである。
【００２５】
しかし、次に述べる作業台としての機構的レイアウトとジャッキ１９の取付機構及び可動テーブル５の高さ調節のロック機構等の面で本考案独自のものを備えており、以下これらの特徴点について詳述する。
【００２６】
図示する実施形態ではジャッキ１９は手動（足踏み）式でユニット化された油圧ジャッキを用い、ロッド２１を伸縮させるシリンダ２３に対して、足踏みペダル２４によって駆動される油圧ポンプ２６を設け、ジャッキ１９はペダル２４を復動させることによって伸長駆動し、開放ハンドル２７を操作することにより内部の油圧バルブ（図示しない）を開放することによってテーブル自重及び荷重によって下降するものである。２８はペダル２４の復帰用のスプリングで、油圧ポンプ２６に近接して立設したスプリング受２９とペダルアーム間に張設されている。
【００２７】
作業台フレーム４の固定枠１の下面側の中間よりやや左寄り位置（少なくとも左右の支持脚２，２間の６０％以上左寄り位置）には、中央で前後方向のステー３１，３１が着脱自在に取付けられ、各ステー３１の前後方向中央位置には左寄りに下降傾斜した一対の支持プレート３２がそれぞれ下向きに且つ平行に取付けられて側面視逆Ｌ字形のブラケット３３を構成している。この機構によりブラケット３３とジャッキ１９は一体のユニットとして作業台フレーム４に取付けられる。
【００２８】
他方、ジャッキ１９のシリンダ２３の下端にはボス部３４を介して前後方向のジャッキ支持軸３６が嵌合されており、前記両プレート３２の下端にはジャッキ支持軸３６が軸支され、ジャッキ１９の下端はブラケット３３によって回動自在に上向きに軸支されている。
【００２９】
そしてシリンダ２３自体はその下端が作業台フレーム４の下部空間の４０％以下の左寄り位置にあり、その右側は例えば着座姿勢で固定机タイプの作業台として作業する場合でも右側面とともに前後から両足を挿入できる空間として確保されている。
【００３０】
またシリンダ２３の伸縮によって内側リンク７ｂを昇降揺動する際に、シリンダ２３自体は負荷方向に対して例えば上昇方向と一致する垂直姿勢位置を中間に含む揺動各θを１５°以内の僅かな揺動範囲で伸縮させるので、過大な負荷を受けることなく効率良く作用する。換言すればジャッキの伸縮範囲を小さくでき且つジャッキを小型化できる利点を備えている。さらにジャッキ自体は手動ポンプ付のユニット化された小型のものを利用できるのでコスト的にも優位である。
【００３１】
次に本実施形態のテーブル高さのセット（ロック）機構について説明すると、図３，図４に示すようにリンク７（図示する例では外側のリンク７ａ）の揺動端（右端又は可動端）近傍には、下向きに突設した係止突起３７に、金属リングを交差させながら連結した環状鎖よりなるチェン３８の基端部が連結されている。そして上記チェン３８の先端側は固定枠１の前後側辺に沿って左端方向に導かれている。
【００３２】
一方固定枠１の左端にはチェン３８のリングを縦方向に収容するスリット３９ａを備えた係止部材３９が固設されており、チェン３８の先端側は上記係止部材３９のスリット３９ａに所望の位置で挿入係止する。
【００３３】
このことにより挿入されたリングとクロスして外側位置にある次のリングが図４（Ａ），（Ｂ）に示すように係止部材３９に係止される一方、可動テーブル５の下降、即ち平行リンク７の右方への移動中にチェン３８がこれに引っ張られるので、チェン３８は係止位置以上には伸びず、可動テーブルの下降がロックされその位置でテーブル高さがロックされてセットされることになる。
【００３４】
また上記ロック機構を使用しない可動テーブルを下限位置まで下降した際は、ジャッキ１９のロッド２１も最短長さまで縮小しており、ジャッキ自体がストッパーとなり、可動テーブル５は固定枠１との間に最小限の隙間を形成した状態で停止する。
【００３５】
このロック後再度可動テーブル５を上昇させる際にはこのロックを解除することなく上昇駆動させればよく、この上昇状態で再度チェン３８は任意の位置で係止して次のテーブル高さを再設定できる。
【００３６】
なお本実施形態では説明の便宜上左右前後の表現を用いているが左右前後、正面等に技術的意味はない。
【符号の説明】
【００３７】
１    固定枠
２    支持脚
３    キャスター
４    作業台フレーム
５    可動テーブル
７    平行リンク
８，９  レール
１９  ジャッキ
２２  リフター軸
２３  シリンダ
３３  ブラケット
３６  ジャッキ支持軸
３８  チェン
３９  係止部材
【図１】
0003156061.tif 000003
【図２】
0003156061.tif 000004
【図３】
0003156061.tif 000005
【図４】
0003156061.tif 000006